(57)【特許請求の範囲】
【請求項１】
送信原稿の画像データを符号化し、原稿の各ページを所定量に分割して電子メールのネットワークへの送信が可能な電子メール機能付き通信端末装置において、送信が完了した後にその旨を示す情報及び送信された原稿の通番，原稿枚数，分割後の数を含む送信情報を自身から印字出力すべくなしてあることを特徴とする電子メール機能付き通信端末装置。
【請求項２】
送信原稿の画像データを符号化し、原稿の各ページを所定量に分割して電子メールのネットワークへの送信が可能な電子メール機能付き通信端末装置において、送信が完了した後にその旨を示す情報及び送信された原稿の通番，原稿枚数，分割後の数を含む送信情報を画像データに変換して通信相手へファクシミリ送信すべくなしてあることを特徴とする電子メール機能付き通信端末装置。
【発明の詳細な説明】
【０００１】
【発明の属する技術分野】
本発明は、電子メール機能付き通信端末装置、たとえばインターネット等のコンピュータ通信網に接続して電子メールの送受信が可能なファクシミリ装置等の通信端末装置に関する。
【０００２】
【従来の技術】
近年、インターネット等のコンピュータ通信網が普及している。その理由としては、コンピュータ通信網は誤り訂正機能に優れており、またユーザは最寄りの契約プロバイダ  （コンピュータ通信網への接続業者）  との間の通信費用（回線使用料及びプロバイダの費用）を負担するのみで国内のみならず全世界のコンピュータとの間で通信を行なうことが可能であること等が挙げられる。
【０００３】
ところで、従来のファクシミリ通信手順は上述のようなコンピュータ通信網を利用するコンピュータ通信のそれとは異なるため、ファクシミリ装置からコンピュータ通信網へ直接通信を行なうことは出来ない。しかし、ファクシミリ通信で通常送受信されるイメージデータであっても、たとえばＴＩＦＦ（Ｔａｇｇｅｄ  Ｉｍａｇｅ  Ｆｉｌｅ  Ｆｏｒｍａｔ）形式のような電子メールとして送受信可能な形式のデータに変換した上であればコンピュータ通信網を介してファクシミリ装置で送受信することが可能である。
【０００４】
このような事情から、ファクシミリメッセージを電子メールとしてインターネット通信で送受信することが可能であり、そのような用途に使用される電子メール機能付き通信端末装置、特にファクシミリ装置が開発されている。
【０００５】
【発明が解決しようとする課題】
ところで、本来はファクシミリ送信されるべき原稿の画像データを上述のように電子メールの形でコンピュータネットワークへ送信した場合には、電子メールが本当に送信されたか否かを送信側で確認できるような記録が残らないという問題があり、送信側ユーザは不安であった。
【０００６】
また、前述のように、本来はファクシミリ送信されるべき原稿の画像データをTIFF形式のような電子メールとして送受信可能な形式のデータに変換した上で送信する場合には、電子メールのデータ量が一定量に制限されていることが多いため、原稿の１ページが複数の電子メールに分割される可能性もある。このため、実際にはいくつの電子メールに分割されて送信されたのかを送信側から受信側に知らせることも、また受信側で知ることも出来なかった。
【０００７】
本発明はこのような事情に鑑みてなされたものであり、本来はファクシミリ通信で送信されるべき画像データを電子メールとして送信した場合に、送信側においてはその電子メールをコンピュータネットワークへ送信したことの確認が得られると共に、どのような状態の電子メールを送信したかを受信側へ通知することが可能であり、またそれによって受信側ではどの程度の数の電子メールが送信されたのかを知ることが可能な電子メール機能付き通信端末装置の提供を目的とする。
【０００８】
【課題を解決するための手段】
本発明に係る電子メール機能付き通信端末装置は、送信原稿の画像データを符号化し、原稿の各ページを所定量に分割して電子メールのネットワークへの送信が可能な電子メール機能付き通信端末装置であって、送信が完了した後にその旨を示す情報及び送信された原稿の通番，原稿枚数，分割後の数を含む送信情報を自身から印字出力すべくなしてあることを特徴とする。
【０００９】
このような本発明の電子メール機能付き通信端末装置では、本来はファクシミリ通信により送信されるべき送信原稿を電子メール化して送信した場合に、送信が完了したこと及び送信された原稿の通番，原稿枚数，分割後の数が自身から印字出力される。
【００１０】
また本発明に係る電子メール機能付き通信端末装置は、送信原稿の画像データを符号化し、原稿の各ページを所定量に分割して電子メールのネットワークへの送信が可能な電子メール機能付き通信端末装置であって、送信が完了した後にその旨を示す情報及び送信された原稿の通番，原稿枚数，分割後の数を含む送信情報を画像データに変換して通信相手へファクシミリ送信すべくなしてあることを特徴とする。
【００１１】
このような本発明の電子メール機能付き通信端末装置では、本来はファクシミリ通信により送信されるべき送信原稿を電子メール化して送信した場合に、送信が完了したこと及び送信された原稿の通番，原稿枚数，分割後の数がファクシミリ通信で通信相手の装置へ送信される。
【００１４】
【発明の実施の形態】
以下、本発明をその実施の形態を示す図面に基づいて詳述する。但し、以下に説明する本発明の実施の形態では、本来はファクシミリ通信されるべきイメージデータ（送信原稿の画像データ）を電子メールとして送信するように構成されたファクシミリ装置等の通信端末装置に本発明を適用しており、またコンピュータ通信網としてはインターネットを使用するものとする。
【００１５】
まず最初に、本発明の電子メール機能付き通信端末装置（以下、本発明装置と言う）  のハードウェア構成を図１を参照して説明する。本発明装置は従来のＧ３方式等のファクシミリ通信機能に加えてインターネット通信可能な機能を備えている。
【００１６】
主制御部１は具体的にはＣＰＵ  で構成されており、バス１３を介して以下のハードウェア各部と接続されていてそれらを制御する他、後述する種々のソフトウェア的機能を実行する。
【００１７】
読取部２は、  ＣＣＤ等を利用したスキャナで原稿を読み取り、白黒２値に変換したドットイメージデータを出力する。記録部３は電子写真方式等のプリンタ装置であり、他のファクシミリ装置からファクシミリ通信により受信したイメージデータ、またはインターネット通信により受信したイメージデータをハードコピーとしてプリントアウトして記録する。
【００１８】
表示部４は、液晶表示装置（ＬＣＤ）  または  ＣＲＴディスプレイ等の表示装置であり、本発明装置の動作状態を表示したり、送信すべき原稿のイメージデータ，受信したイメージデータの表示を行う。
【００１９】
操作部５は、本発明装置を操作するために必要な文字キー，  テンキー  （数字キー），短縮ダイヤルキー，  ワンタッチダイヤルキー，  各種のファンクションキー等を備えている。なお、上述の表示部４をタッチパネル方式とすることにより、この操作部５の各種キーの内の一部または全部を代用することも可能である。
【００２０】
図２は操作部５の構成の具体例を示す模式図である。操作部５には上述のように、通常の電話機と同様に数字を一字ずつ入力するためのテンキー５０，  一つのキーを操作するだけで予め設定されている電話番号が入力されるワンタッチダイヤルキー５１，  テンキー５０と併せて操作することにより予め設定されている電話番号が入力される短縮ダイヤルキー５２，  ファクシミリ通信を指示するファクシミリキー５３，  コピーを指示するコピーキー５４，  コピー部数の入力を指示する部数キー５４０，同報通信を指示する同報キー５５，  入力を取り消すための取消キー５６，  自装置から通信証を発行させるための送信証発行モードキー５７及び通信相手の装置へ送信証を送信するための送信証送信モードキー５８等が配置されている。
【００２１】
ＲＯＭ６は、本発明装置の動作に必要な種々のソフトウェアプログラムを予め格納している。ＲＡＭ７は、ＳＲＡＭまたはフラッシュメモリ等で構成され、ソフトウェアの実行時に発生する一時的なデータを記憶すると共に、後述する相手先テーブル７０が適宜の領域に設定されており、また送信証発行モードフラグ７１及び送信証送信モードフラグ７２とが適宜のビットに割り付けられている。なお、ＲＡＭ７にフラッシュメモリを使用した場合には、停電，装置の移動等のために電源が遮断された場合にも記憶内容が失われることはない。
【００２２】
図３は相手先テーブル７０の内容例を示す模式図である。この相手先テーブル７０は、短縮ダイヤルキー及びワンタッチダイヤルキーに対応する相手先名称，インターネットｅ−ｍａｉｌアドレス，  ファクシミリ番号及びファクシミリ種別  （Ｇ３，Ｇ４等）  が予め登録されている。
【００２３】
画像メモリ８はＤＲＡＭ等で構成され、送信すべきイメージデータまたは受信したイメージデータを記憶する。
【００２４】
モデム１０は通常のファクシミリ通信用の  ＦＡＸモデムである。データモデム１２はインターネット通信を行なうためのデータ通信用のモデムであり、外部インタフェイス９を介してバス１３と接続されている。ＮＣＵ（Ｎｅｔｗｏｒｋ  Ｃｏｎｔｒｏｌ  Ｕｎｉｔ）１１  はアナログ回線Ｌの閉結及び開放の動作を行うハードウェアであり、必要に応じてモデム１０またはデータモデム１２をアナログ回線Ｌと接続する。
【００２５】
なお、図１において参照符号ＦＤは記録媒体としてフレキシブルディスクを、参照符号１４は記録媒体読取部をそれぞれ示している。記録媒体読取部１４は具体的にはフレキシブルディスクドライバであり、フレキシブルディスクＦＤが装入されることによりそれに記録されているコンピュータプログラムを読み取ってＲＡＭ７に格納することが可能である。
【００２６】
なお、ＤＳＵ（加入者線終端装置：Ｄｉｇｉｔａｌ  Ｓｅｒｖｉｃｅ  Ｕｎｉｔ）を備えることにより、ベースバンド伝送方式のデジタル回線に接続するようにしてもよい。
【００２７】
本発明装置は以上のようなハードウェア構成を有しており、一般的なＧ３方式等のファクシミリ通信機能は勿論のこと、主としてＴＩＦＦファイル化されたイメージデータを電子メールとして送受信する機能を有している。換言すれば、本来はファクシミリ通信すべき原稿のイメージデータをＴＩＦＦファイル化してインターネットを介して電子メールとして送受信することが可能である。但し、そのための機能はソフトウェアプログラムとしてＲＯＭ６に格納されているため、以下にそのような機能について簡単に説明する。
【００２８】
送信されるべき原稿  （送信原稿）  は一枚単位、換言すればページ単位で読取部２によりドットデータとして読み取られ、ファクシミリ通信の規格で定められているＭＨ，  ＭＲ，  ＭＭＲ  等の符号化方式に従ってソフトウェアにより符号化イメージデータに変換され、また逆に外部から受信した符号化イメージデータもソフトウェアによりドットデータに復号化されて記録部３からハードコピーとして出力される。なお、画像メモリ８は符号化イメージデータを必要に応じて記憶し、また逆に記憶している符号化イメージデータを必要に応じて出力する。
【００２９】
また、符号化イメージデータは、送信時にはコンピュータで使用される一般的な画像フォーマットであるＴＩＦＦ（Ｔａｇｇｅｄ  Ｉｍａｇｅ  Ｆｉｌｅ  Ｆｏｒｍａｔ）形式にソフトウェアにより変換され、受信時にはソフトウェアによりＴＩＦＦ形式から符号化イメージデータに変換される。なお、ＴＩＦＦの仕様は  Ａｄｏｂｅ  Ｓｙｓｔｅｍｓ社によって公開されており、白黒２値のみならず、白黒多値，  フルカラー等の種々のデータを扱うためにそれぞれに対応した  Ｃｌａｓｓが定義されている。それらの内の一つである  ＣＬＡＳＳ  ＦはＧ３形式のファクシミリ符号化イメージデータを定義している。従って、Ｇ３形式のファクシミリ符号化イメージデータはその先頭に、ＣＬＡＳＳ  Ｆ  のＴＩＦＦヘッダ情報を付加する等の比較的容易な処理を施すことによってＴＩＦＦ形式に変換することが可能である。以下、ＣＬＡＳＳ  Ｆ  のＴＩＦＦヘッダ情報が付加されたファクシミリ符号化イメージデータを「ＴＩＦＦイメージデータ」と称する。
【００３０】
このようにして得られたＴＩＦＦイメージデータはバイナリデータであるので、送信時にはソフトウェアによりテキストデータに変換し、受信時にはソフトウェアによりその逆に、即ちテキストデータをバイナリデータに変換する必要がある。これは、インターネットにはバイナリデータの電子メールを扱うことが出来ないコンピュータも接続されているからである。このため、相手先に確実に電子メールが届くようにするために、ＴＩＦＦイメージデータ等のバイナリデータを送信する場合にはそれを一旦テキストデータに変換して送信する。なお、インターネットで扱うテキストデータはＩＥＴＦ（Ｉｎｔｅｒｎｅｔ  Ｅｎｇｉｎｅｅｒｉｎｇ  Ｔａｓｋ  Ｆｏｒｃｅ）  が発行するドキュメントであるＲＦＣ（Ｒｅｑｕｅｓｔ  Ｆｏｒ  Ｃｏｍｍｅｎｔｓ）８２２において、７ビットのコードとして規定されている。
【００３１】
そこで、一例としてＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）  のエンコーディングタイプの一つであるｂａｓｅ６４を利用してテキストデータへの変換を行うと、バイナリデータは６ビット単位で６４種類のキャラクタ  （大文字及び小文字のアルファベット，  数字，  ＋，  ／）  の内の一つに置換されることにより、テキストデータに変換される。なお、ＭＩＭＥに関しては前述のＲＦＣ  で規定されており、たとえば上述のｂａｓｅ６４の他に”７ｂｉｔ”，  ”８ｂｉｔ”，  ”ｂｉｎａｒｙ”等のエンコーディングタイプが規定されている。
【００３２】
上述のようにして得られた送信すべきＭＩＭＥヘッダ付きのテキストデータ（以下、ＭＩＭＥデータと言う）  のファイルはソフトウェアによりそれを本体として通信管理情報（メールヘッダ）が付加されて電子メールの体裁に編集され、また逆に受信した電子メールはソフトウェアにより本体、即ちＭＩＭＥデータと通信管理情報  （メールヘッダ）  とが分離されてＭＩＭＥデータからＴＩＦＦイメージデータのみが取り出される。
【００３３】
このようなソフトウェアによるメール編集処理は、インターネットの電子メールには所定のヘッダ情報を付加して本文と共に送信する必要があるために必須である。具体的には、送信時には、図４の模式図に示されているようにＴＩＦＦイメージデータの先頭に”Ｄａｔｅ：”（その電子メールの発信日時），  ”Ｆｒｏｍ：”  （その電子メールの発信者），  ”Ｔｏ：”  （その電子メールの宛先），  ”Ｓｕｂｊｅｃｔ：”（その電子メールの題名等の付加的情報），  ”Ｃｃ：”  （その電子メールのコピーの宛先）  等の各項目からなるヘッダ情報が追加され、受信時にはこれらのヘッダ情報が分離される。
【００３４】
従って、本発明装置では、図４に示されているように”Ｓｕｂｊｅｃｔ：”の項目の内容として、インターネットを利用したファクシミリ送信であることを示すコード”ＩＦＡＸ”，  発信装置（”Ｆｒｏｍ”）、即ち本発明装置自身を特定するコード”Ｆ−１２０”，一単位の送信原稿であるファクシミリメッセージ（”ＪＯＢ”）  を特定するコード”００１”，同一ファクシミリメッセージ（”ＪＯＢ”）  内でのページ（”ＰＡＧＥ”）を特定するコード”００１”  及び同一ページ内でのブロック（”ＢＬＯＣＫ”）  を特定すコード”００１”  がそれぞれ設定された後にファクシミリメッセージを電子メールで送信する。
【００３５】
図５は上述のようにしてファクシミリメッセージを電子メール化した場合のデータの状態を示す模式図である。図５に示されているように、ファクシミリメッセージを電子メールとして送信する際には、まず最初に電子メール本来のメールヘッダ１０１  が、次に前述したＭＩＭＥヘッダ１０２  が、そしてその次に１ページ分のファクシミリメッセージのＭＩＭＥデータ１０３  が続く。このようなメールヘッダ１０１，ＭＩＭＥヘッダ１０２，ＭＩＭＥデータ１０３  で構成される１単位のデータでファクシミリメッセージの１ページ分が電子メールとしてインターネット通信される。
【００３６】
次に、上述のような構成の本発明装置の動作、具体的には電子メール受信時の動作について、その動作手順を示す図６及び図７のフローチャートを参照して以下に説明する。
【００３７】
なお、通信に先立って、送信証を発行するか否か、相手先へ送信するか否かは予め送信証発行モードキー５７及び送信証送信モードキー５８を操作するか否かによりユーザにより選択されているものとする。ユーザが送信証発行モードを選択するために送信証発行モードキー５７を操作した場合には送信証発行モードフラグ７１が”１”にセットされ、送信証送信モードを選択するために送信証送信モードキー５８を操作した場合には送信証送信モードフラグ７２が”１”にセットされる。
【００３８】
なお、送信証発行モードが選択されている状態において送信証発行モードキー５７が操作された場合には送信証発行モードは解除され、また送信証送信モードが選択されている状態において送信証送信モードキー５８が操作された場合には送信証送信モードは解除される。また、送信証発行モードと送信証送信モードとは個別に選択可能であり、一方のみを機能させることも、双方を共に機能させることも勿論可能である。
【００３９】
まず、ファクシミリ通信が指示されると、主制御部１はページ番号のカウンタ”Ｐ”及びブロック番号のカウンタ”Ｂ”を共に”１”に初期化する  （ステップＳ１０）。そして、ファクシミリ通信で送信されるべき原稿がユーザにより読取部２にセットされると  （ステップＳ１１）、読取部２により原稿の第１ページの画像が２値データとして読み取られ、ファクシミリ符号化方式、たとえば  ＭＭＲ方式により符号化されて画像メモリ８に順次格納される  （ステップＳ１２）。
【００４０】
一方、その間にユーザは原稿の送信先の指定を行なう  （ステップＳ１３）。この場合、ファクシミリ装置には操作部５に一般的に備えられているワンタッチダイヤルキーをユーザが操作することにより、そのキーに予め登録されている相手の電話番号及び電子メールアドレスがＲＡＭ７の相手先テーブル７０から読み出される。
【００４１】
次にユーザはネットワークへログインするための操作を行なう。但しこの操作は、プロバイダの電話番号，パスワード，ユーザ名等を予め本発明装置に登録しておくことにより、操作部５の所定のキーのワンタッチ操作で自動的に行なわれる。この結果、主制御部１がＮＣＵ  １１を制御することにより、本発明装置はアナログ回線Ｌを介してプロバイダのサーバと接続してネットワークにログインする  （ステップＳ１４）。
【００４２】
以上の操作により電子メールの送信が可能な状態になるので、まず最初は送信原稿の第１ページのＴＩＦＦイメージデータ化及びＭＩＭＥデータへの変換が行なわれるが、前述したように電子メールのデータ量が６４ｋバイトに制限されているため、変換結果のＭＩＭＥデータが６４ｋバイトに達すると一つの電子メールとして送信される  （ステップＳ１５）。そしてヘッダが送信されるが  （ステップＳ１６）、この時点ではページ番号のカウンタ”Ｐ”及びブロック番号のカウンタ”Ｂ”は共に”１”であるので、ヘッダの「Ｓｕｂｊｅｃｔ：」中のページのコード（”ＰＡＧＥ”）は”００１”  に、ブロック（”ＢＬＯＣＫ”）  のコードは”００１”  にそれぞれなる。
【００４３】
この時点で送信原稿の１ページ分のＴＩＦＦイメージデータが全てＭＩＭＥデータに変換されるまでは  （ステップＳ１７  で”ＮＯ”）  、ブロック番号のカウンタ”Ｂ”が”１”インクリメントされ  （ステップＳ２０）、ステップＳ１５  へ処理が戻されて次の６４ｋバイトのＭＩＭＥデータが生成されるまで再度ＴＩＦＦイメージデータのＭＩＭＥデータへの変換及び送信が行なわれる  （ステップＳ１５）。そして再度ヘッダが送信されるが  （ステップＳ１６）、この時点ではページ番号のカウンタ”Ｐ”は”１”のままであるが、ブロック番号のカウンタ”Ｂ”は”２”になっているので、ヘッダの「Ｓｕｂｊｅｃｔ：」中のページのコード（”ＰＡＧＥ”）は”００１”  に、ブロック（”ＢＬＯＣＫ”）  のコードは”００２”  にそれぞれなる。
【００４４】
以下、送信原稿の第１ページの１ページ分のTIFFイメージデータが全てMIMEデータに変換されて送信されるまで (ステップS17 で”YES ”) 、送信原稿の第１ページがMIMEデータに変換した場合の64ｋバイト単位で電子メールとして送信され、それぞれのヘッダの"Subject:"の項目はファクシミリメッセージ("JOB") を特定するコードは同一で、送信原稿のページ("PAGE")を特定するコードも"001" で同一で、送信原稿の同一ページが電子メールとして分割されたブロック("BLOCK") を特定するコードが"001" から順にインクリメントされる。
【００４５】
このようにして送信原稿の第１ページが電子メールとして送信が完了すると (ステップS17 で”YES ”) 、主制御部１はページ番号のカウンタ”Ｐ”を”１”インクリメントし (ステップS18)、送信原稿に次のページがあるか否かを判断する (ステップS19)。送信原稿に次のページが有る場合にはステップS15 へ処理が戻されて送信原稿の次の１ページのTIFFイメージデータ化及びMIMEデータへの変換と電子メールとしての送信が反復される。この際のヘッダの"Subject:"の項目はファクシミリメッセージ("JOB") を特定するコードは同一で、送信原稿のページ("PAGE")を特定するコードが"002" になり、送信原稿の同一ページが電子メールとして分割されたブロック("BLOCK") を特定するコードが送信原稿の第１ページの送信の場合と同様に"001" から順にインクリメントされる。
【００４６】
上述のようにして送信原稿の第２ページの全てが電子メールとして送信されるとページ番号のカウンタ”Ｐ”が”００２”  から”００３”  へインクリメントされ、第３ページが送信され、というようにして送信原稿の全てのページが送信されると  （ステップＳ１９  で”ＮＯ”）  、主制御部１はＮＣＵ  １１を制御して回線を切断し、ネットワークからログアウトする  （ステップＳ２１）。
【００４７】
そして、送信証発行モードも送信証送信モードも共に選択されていない場合、即ち送信証発行モードフラグ７１及び送信証送信モードフラグ７２が共にリセット（”０”）状態である場合には  （ステップＳ２２  及びＳ２４  で共に”ＮＯ”）  、主制御部１はこの処理を終了する。
【００４８】
しかし、送信証発行モードが選択されている場合、即ち送信証発行モードフラグ７１がセット（”１”）されている場合には  （ステップＳ２２  で”ＹＥＳ  ”）  、主制御部１は送信証の内容を記録部３にプリントさせる  （ステップＳ２３）。また、送信証送信モードが選択されている場合、即ち送信証送信モードフラグ７２がセット（”１”）されている場合には  （ステップＳ２４  で”ＹＥＳ  ”）  、主制御部１は送信原稿の宛先の電話番号をＲＡＭ７から読み出すと共にＮＣＵ  １１を制御して発呼を行ない  （ステップＳ２５）、送信証の内容をコーデック１２でファクシミリ符号データに変換して送信する  （ステップＳ２６）。
【００４９】
なお、上述の実施の形態においては、ＲＯＭ６に予め記録されているソフトウェアプログラムに従って図６及び図７に示されている各ステップの制御を主制御部１が実行するようにしているが、同様のソフトウェアプログラムを図１に示されているフレキシブルディスクＦＤに記録しておき、必要に応じて記録媒体読取部１４から読み込んでＲＡＭ７に一旦格納しても、本発明装置は上述同様の動作が可能である。このようなフレキシブルディスクＦＤに記録されているソフトウェアプログラムをＲＡＭ７に読み込んで主制御部１による制御に使用する手法は、本発明装置がファクシミリ通信可能なパーソナルコンピュータである場合に有効である。
【００５０】
図８は上述の送信証の内容例を示す模式図である。まず、用紙Ｐの上部に大きく送信証と明示されており、その下部に電子メールのヘッダと基本的には同様に、”Ｆｒｏｍ：”，  ”Ｔｏ：”，  ”ＤＡＴＥ：”，  ”ＴＩＭＥ：”，  ”Ｓｕｂｊｅｃｔ：”の各項目が記載されている。但し、”Ｓｕｂｊｅｃｔ：”の項目の”Ｊ”，  ”Ｐ”及び”Ｂ”  の内容はジョブ，  ページ及びブロックを特定するコードではなく、送信した電子メールに関する情報が示されている。具体的には、”Ｊ”  としては電子メールとして送信した送信原稿の数  （この例では”０００１”、即ち１  件）  が、”Ｐ”  としては送信原稿のページ数  （この例では”００３”  、即ち３ページ）  が、”Ｂ”  としては送信したブロック数  （この例では”００７”  、即ち７ブロック、換言すれば７通の電子メール）がそれぞれ示されている。
【００５１】
更にその下部には、送信したファクシミリ原稿に関する情報、即ちこの例では、送信原稿は一つ（”Ｊ  ０００１”）であり、その第１ページ（”Ｐ  ００１”）  は２ブロック（”Ｂ  ０１／０２”及び”Ｂ  ０１／０２”）に分割され、第２ページ（”Ｐ  ００２”）  は３ブロック（”Ｂ  ０１／０３”，  ”Ｂ  ０２／０３”  及び”Ｂ  ０３／０３”）に分割され、第３ページ（”Ｐ  ００３”）  は２ブロック（”Ｂ  ０１／０２”及び”Ｂ  ０１／０２”）に分割されていることが示されている。
【００５２】
図６及び図７に示されているフローチャートのステップＳ２３  においてはこの図８に示されているような送信証が送信側装置の記録部３によりプリントされる。従って、送信側のユーザは送信原稿が電子メールとしてネットワークへ送信されたことを確認することが可能になる。
【００５３】
また、図６及び図７に示されているフローチャートのステップS26 においてはこの図８に示されているような送信証が送信側装置からファクシミリ通信で送信されて受信側装置の記録部３によりプリントされる。従って、受信側のユーザは電子メールとしてファクシミリ原稿が届いていること、またその電子メールの数, 元の送信原稿のページ数等を確認することが可能になる。
【００５４】
【発明の効果】
以上に詳述したように、本発明の電子メール機能付き通信端末装置によれば、本来はファクシミリ通信により送信されるべき送信原稿を電子メール化して送信した場合に、送信が完了したこと及び送信された原稿の通番，原稿枚数，分割後の数が送信情報として自身から印字出力されるため、電子メールとしての送信の確認が可能になる。
【００５５】
また本発明の電子メール機能付き通信端末装置によれば、本来はファクシミリ通信により送信されるべき送信原稿を電子メール化して送信した場合に、送信が完了したこと及び送信された原稿の通番，原稿枚数，分割後の数が送信情報としてファクシミリ通信で通信相手の装置へ送信されるため、通信相手では電子メール受信の確認を行なわずとも受信の確認が可能になる。
【００５６】
従って発明の電子メール機能付き通信端末装置によれば、本来はファクシミリ通信により送信されるべき送信原稿を電子メール化して送信した場合に、送信が完了したこと及び送信された原稿の通番，原稿枚数，分割後の数が送信情報として自身から印字出力され、また通信相手の装置へファクシミリ通信で送信されるため、双方で送信原稿の送信状態を確認することが可能になる。
【図面の簡単な説明】
【図１】本発明の電子メール機能付き通信端末装置のハードウェア構成を示すブロック図である。
【図２】本発明の電子メール機能付き通信端末装置の操作部の構成の具体例を示す模式図である。
【図３】本発明の電子メール機能付き通信端末装置の相手先テーブルの内容例を示す模式図である。
【図４】本発明の電子メール機能付き通信端末装置により受信される電子メールのヘッダ情報の内容例を示す模式図である。
【図５】本発明の電子メール機能付き通信端末装置においてファクシミリメッセージを電子メール化した場合のデータの状態を示す模式図である。
【図６】本発明の電子メール機能付き通信端末装置の電子メール送信時の動作手順を示すフローチャートである。
【図７】本発明の電子メール機能付き通信端末装置の電子メール送信時の動作手順を示すフローチャートである。
【図８】本発明の電子メール機能付き通信端末装置が発行及び／又は送信する送信証の内容例を示す模式図である。
【符号の説明】
１  主制御部
３  記録部
５  操作部
６  ＲＯＭ
７  ＲＡＭ
８  画像メモリ
１０  モデム
１１  ＮＣＵ
１２  データモデム
５７  送信証発行モードキー
５８  送信証送信モードキー
７０  相手先テーブル
７１  送信証発行モードフラグ
７２  送信証送信モードフラグ
【図１】
0003612942.tif 000002
【図２】
0003612942.tif 000003
【図３】
0003612942.tif 000004
【図４】
0003612942.tif 000005
【図５】
0003612942.tif 000006
【図６】
0003612942.tif 000007
【図７】
0003612942.tif 000008
【図８】
0003612942.tif 000009